(57)【要約】【課題】意図しないタグ情報の集計を防止することができる無線タグ読取装置およびプログラムを提供する。【解決手段】無線タグ読取装置は、受信手段と、抽出手段と、出力手段とを備える。前記受信手段は、物品に付された無線タグから、当該物品の状態を示すタグ情報を受信する。前記抽出手段は、前記受信手段が受信した前記タグ情報のうち、予め設定された抽出条件を満たす前記タグ情報を抽出する。前記出力手段は、前記抽出手段が抽出した前記タグ情報を出力する。【選択図】図６
2018160185.tif 000002
【特許請求の範囲】
【請求項１】
物品に付された無線タグから、当該物品の状態を示すタグ情報を受信する受信手段と、
前記受信手段が受信した前記タグ情報のうち、予め設定された抽出条件を満たす前記タグ情報を抽出する抽出手段と、
前記抽出手段が抽出した前記タグ情報を出力する出力手段と、
を備える無線タグ読取装置。
【請求項２】
前記抽出手段は、前記タグ情報に含まれる前記物品の販売の状態を示す販売情報が、前記抽出条件を満たすことを条件に、当該タグ情報を抽出し、
前記出力手段は、前記抽出手段が抽出した前記タグ情報を出力させる、
請求項１に記載の無線タグ読取装置。
【請求項３】
前記抽出手段は、前記販売情報に含まれる前記物品が販売済みであるかを示すフラグと、前記物品を販売する予定があるかを示すフラグとが、前記抽出条件を満たすことを条件に、当該タグ情報を抽出し、
前記出力手段は、前記抽出手段が抽出した前記タグ情報を出力させる、
請求項２に記載の無線タグ読取装置。
【請求項４】
前記抽出条件の設定を変更する変更手段を更に備え、
前記抽出手段は、前記変更手段が変更した前記抽出条件を満たしている前記タグ情報を抽出する、
請求項１乃至３の何れか一項に記載の無線タグ読取装置。
【請求項５】
前記出力手段は、前記タグ情報を表示部に表示させる、
請求項１乃至４の何れか一項に記載の無線タグ読取装置。
【請求項６】
コンピュータを、
物品に付された無線タグから、当該物品の状態を示すタグ情報を受信する受信手段と、
前記受信手段が受信した前記タグ情報のうち、予め設定された抽出条件を満たす前記タグ情報を抽出する抽出手段と、
前記抽出手段が抽出した前記タグ情報を出力する出力手段と、
して機能させるためのプログラム。
【発明の詳細な説明】
【技術分野】
【０００１】
本発明の実施形態は、無線タグ読取装置およびプログラムに関する。
【背景技術】
【０００２】
近年、ＲＦＩＤ（Radio  Frequency  IDentification）技術を用いて商品等の在庫を管理する在庫管理システムが知られている。このような在庫管理システムでは、予めＲＦＩＤタグ等の無線タグを商品に付しておく。無線タグ読取装置は、広範囲に電波を照射することにより商品棚に並べられた商品の無線タグを一括して読み取る。これにより、無線タグ読取装置は、容易に商品の在庫を調べることができる。
【０００３】
ところで、アパレル店等では、裾直しの商品など既に販売済みの商品であるにも関わらず、店舗に保管している商品がある。販売済みの商品等は、在庫ではないため集計対象からは除外する必要がある。しかしながら、無線タグ読取装置は、広範囲に電波を照射するため販売済みの商品も在庫として集計してしまう場合がある。
【発明の概要】
【発明が解決しようとする課題】
【０００４】
本発明が解決しようとする課題は、意図しないタグ情報の集計を防止することができる無線タグ読取装置およびプログラムを提供することである。
【課題を解決するための手段】
【０００５】
実施形態の無線タグ読取装置は、受信手段と、抽出手段と、出力手段とを備える。前記受信手段は、物品に付された無線タグから、当該物品の状態を示すタグ情報を受信する。前記抽出手段は、前記受信手段が受信した前記タグ情報のうち、予め設定された抽出条件を満たす前記タグ情報を抽出する。前記出力手段は、前記抽出手段が抽出した前記タグ情報を出力する。
【図面の簡単な説明】
【０００６】
【図１】図１は、本実施形態に係る在庫管理システムの一例を示す模式図である。
【図２】図２は、無線タグのハードウェア構成の一例を示すブロック図である。
【図３】図３は、ＰＯＳ端末のハードウェア構成の一例を示すブロック図である。
【図４】図４は、ＲＦＩＤハンディ端末のハードウェア構成の一例を示すブロック図である。
【図５】図５は、店舗サーバのハードウェア構成の一例を示すブロック図である。
【図６】図６は、在庫管理システムが備える各装置が有する特徴的な機能構成の一例を示すブロック図である。
【図７】図７は、在庫計数処理の一例を示すフローチャートである。
【発明を実施するための形態】
【０００７】
以下、添付図面を参照して、無線タグ読取装置およびプログラムの実施形態を詳細に説明する。なお、以下に説明する実施形態は、無線タグ読取装置およびプログラムの一実施形態であって、その構成や仕様等を限定するものではない。本実施形態の無線タグ読取装置は、在庫管理システムに含まれるＲＦＩＤ（Radio  Frequency  IDentification）ハンディ端末への適用例である。
【０００８】
図１は、本実施形態に係る在庫管理システム１の一例を示す模式図である。在庫管理システム１は、商品１０に付された無線タグ２０と、ＰＯＳ（Point  of  Sales）端末３０と、ＲＦＩＤハンディ端末４０と、店舗サーバ５０とを備える。ＲＦＩＤハンディ端末４０と、店舗サーバ５０とは、例えば無線の店舗内ＬＡＮ（Local  Area  Network）を介して接続されている。図１に示す在庫管理システム１は、ＰＯＳ端末３０と、ＲＦＩＤハンディ端末４０と、店舗サーバ５０とを其々一台ずつ備えているが複数台ずつ備えていてもよい。
【０００９】
商品１０は、小売店等で販売されている物品である。無線タグ２０は、例えば電子タグや、ＩＣ（Integrated  Circuit）タグと呼ばれるＲＦＩＤタグ等である。無線タグ２０は、記憶媒体を有するＩＣチップ２２０（図２参照）を備えている。無線タグ２０は、電磁波等を用いた無線通信により情報を送受信することで、記憶媒体に記憶されている情報を読み出されたり、記憶媒体に情報を書き込まれたりする。例えば、無線タグ２０は、記憶媒体に、無線タグ２０が付されている商品１０を識別可能な商品コードを記憶している。
【００１０】
ＰＯＳ端末３０は、販売対象の商品１０を登録する販売登録や、販売登録により登録した商品１０の会計を実行する会計処理等を実行する販売データ処理装置である。ＰＯＳ端末３０は、商品１０に付されている無線タグ２０に記憶されている商品コードを無線通信等により読み取ることで販売登録を実行する。さらに、ＰＯＳ端末３０は、販売登録のために無線タグ２０に記憶されている商品コードを読み取った場合に、販売登録した商品１０に付されている無線タグ２０に販売済みであることを無線通信等により書き込む。
【００１１】
ＲＦＩＤハンディ端末４０は、無線タグ２０が記憶している情報を無線通信により読み出すことができる無線タグ読取装置である。ＲＦＩＤハンディ端末４０は、操作者に携帯されて店舗等に載置された商品棚に向けられることで、商品棚に並べられた商品１０に付されている無線タグ２０を読み取る。
【００１２】
例えば、ＲＦＩＤハンディ端末４０は、無線タグ２０が記憶している情報を送信することを要求する電磁波を照射する。電磁波を照射した範囲にある無線タグ２０は、記憶している情報を示す電磁波を送信する。ＲＦＩＤハンディ端末４０は、無線タグ２０から送信された電磁波を受信することで無線タグ２０が記憶している情報を読み出すことができる。さらに、ＲＦＩＤハンディ端末４０は、電磁波の周波数や強度を変えることにより、数センチメートルから数メートルの読取範囲にある一又は複数の無線タグ２０が記憶している情報を読み出すことができる。そして、ＲＦＩＤハンディ端末４０は、無線タグ２０から読み出した情報を、店舗サーバ５０に送信する。
【００１３】
店舗サーバ５０は、例えばパーソナルコンピュータ等のサーバ装置である。店舗サーバ５０は、ＲＦＩＤハンディ端末４０から送信された情報を受信する。そして、店舗サーバ５０は、一又は複数のＲＦＩＤハンディ端末４０が無線タグ２０から読み出した情報を記憶する。なお、店舗サーバ５０は、ハードウェアやソフトウェア等のコンピュータ資源を提供するクラウドサービス等により提供されるものであってもよい。さらに、店舗サーバ５０は、複数台のサーバ装置等により構成されていてもよい。
【００１４】
次に、在庫管理システム１が備える各種装置のハードウェア構成について説明する。
【００１５】
図２は、無線タグ２０のハードウェア構成の一例を示すブロック図である。無線タグ２０は、アンテナ２１０と、ＩＣチップ２２０とを備える。アンテナ２１０は、電磁波等を受信するコイル等である。ＩＣチップ２２０は、電源生成部２２１と、復調部２２２と、制御部２２３と、変調部２２４と、記憶部２２５とを備える。
【００１６】
電源生成部２２１は、アンテナ２１０が受信した電磁波を用いて電磁誘導等によりＩＣチップ２２０の各部に電力を供給する。復調部２２２は、電磁波を復調して制御部２２３に出力する。制御部２２３は、復調部２２２が復調した情報を記憶部２２５に書き込む。また、制御部２２３は、記憶部２２５から情報を読み出して変調部２２４に出力する。変調部２２４は、制御部２２３から出力された情報を変調してアンテナ２１０に出力する。そして、アンテナ２１０は、変調部２２４から出力された情報を電磁波に乗せて送信する。記憶部２２５は、ＥＥＰＲＯＭ（Electrically  Erasable  Programmable  Read-Only  Memory）等の電力が供給されなくても情報を記憶することができる不揮発性の書換え可能な記憶媒体である。記憶部２２５は、タグ情報２２６を記憶している。
【００１７】
タグ情報２２６には、識別情報と、販売情報とが含まれている。識別情報は、例えば商品１０を識別可能な商品コードである。また、商品コードは、商品１０の種別に限らず、個々の商品１０を識別可能な情報であってもよい。さらに、識別情報には、無線タグ２０を識別可能な無線タグコードや、無線タグ２０を製造した企業を示す企業コード等が含まれていてもよい。
【００１８】
販売情報は、無線タグ２０が付されている商品１０の販売の状態を示す情報である。そして、販売情報は、ＰＯＳ端末３０からの要求によって書き換えることが可能である。販売情報には、販売フラグと、取り置きフラグとが含まれている。販売フラグは、無線タグ２０が付されている商品１０が販売済みであるか否かを示す設定値である。販売フラグは、初期状態においては、商品１０が未だ販売されていないことを示す設定値である未販売が登録される。そして、販売フラグは、商品１０が販売登録された場合に、商品１０が販売済みであることを示す設定値である販売済みに書き換えられる。取り置きフラグは、無線タグ２０が付されている商品１０が取り置きされているか否かを示す設定値である。取り置きとは、無線タグ２０が付されている商品１０の購入を予約している顧客がいるために販売せずに保管することである。すなわち、取り置きとは、商品１０を販売する予定がある状態を示している。取り置きフラグは、初期状態においては、取り置きの対象商品１０とされていない販売中の商品１０であることを示す設定値である販売中が登録される。そして、販売フラグは、商品１０が取り置きされた場合に、取り置きの対象商品１０とされたことを示す設定値である取り置き中に書き換えられる。
【００１９】
なお、無線タグ２０は、販売情報の意図しない書き換えを抑制するために、販売情報の販売フラグと、取り置きフラグとを書き換える条件を有していてもよい。例えば、無線タグ２０は、書き換え条件として、パスワードを設定してもよい。この場合には、無線タグ２０は、パスワードと共に書き換え要求を受信したことを条件に、販売情報の販売フラグと、取り置きフラグとを書き換える。
【００２０】
図３は、ＰＯＳ端末３０のハードウェア構成の一例を示すブロック図である。ＰＯＳ端末３０は、制御部３０１と、記憶部３０２と、通信インタフェース３０３と、ＲＦＩＤリーダライタ３０４と、表示部３０５と、操作部３０６と、印字部３０７、カードリーダライタ３０８とを備える。これら各部は、データバスやアドレスバス等のシステムバス３０９を介して相互に接続している。
【００２１】
制御部３０１は、ＰＯＳ端末３０の全体の動作を制御し、ＰＯＳ端末３０が有する各種の機能を実現するコンピュータである。制御部３０１は、ＣＰＵ（Central  Processing  Unit）と、ＲＯＭ（Read  Only  Memory）と、ＲＡＭ（Random  Access  Memory）とを備える。ＣＰＵは、ＰＯＳ端末３０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部３０２等に格納されたプログラムを実行する。
【００２２】
記憶部３０２は、ＨＤＤ（Hard  Disk  Drive）やＳＳＤ（Solid  State  Drive）等の記憶装置である。記憶部３０２は、制御プログラム３１０を記憶する。制御プログラム３１０は、オペレーティングシステムや、ＰＯＳ端末３０が提供する機能を実現させるプログラムである。制御プログラム３１０には、本実施形態に係る機能を実現させるプログラムが含まれる。
【００２３】
通信インタフェース３０３は、ネットワークに接続された各装置と通信するためのインタフェースである。
【００２４】
ＲＦＩＤリーダライタ３０４は、アンテナ３１１を制御して、無線タグ２０に記憶されたタグ情報２２６を読み出したり、タグ情報２２６を書き換えたりする。アンテナ３１１は、電気信号を電磁波に変換して送信したり、受信した電磁波を電気信号に変換したりする装置である。例えば、ＲＦＩＤリーダライタ３０４は、無線タグ２０に記憶されたタグ情報２２６を読み出す場合に、無線タグ２０にタグ情報２２６の送信を要求する情報を含む電磁波をアンテナ３１１に照射させる。そして、ＲＦＩＤリーダライタ３０４は、アンテナ３１１が受信した電磁波を復調してタグ情報２２６を抽出する。ＲＦＩＤリーダライタ３０４は、無線タグ２０に記憶されたタグ情報２２６を書き換える場合に、書き換え内容を示す情報を変調してアンテナ３１１に送信させる。
【００２５】
表示部３０５は、表示面上にタッチパネルが積層された液晶表示装置等である。
【００２６】
操作部３０６は、ＰＯＳ端末３０を操作する各種キーを備えるキーボード等である。
【００２７】
印字部３０７は、取引単位のレシートやジャーナル等を用紙に印字するプリンタである。
【００２８】
カードリーダライタ３０８は、クレジットカード等の決済に用いるカードの記憶媒体が記憶する情報の読み取り及び書き込みを実行する装置である。
【００２９】
図４は、ＲＦＩＤハンディ端末４０のハードウェア構成の一例を示すブロック図である。ＲＦＩＤハンディ端末４０は、制御部４０１と、記憶部４０２と、通信インタフェース４０３と、操作パネル４０４と、ＲＦＩＤリーダ４０５とを備える。これら各部は、データバスやアドレスバス等のシステムバス４０６を介して相互に接続している。
【００３０】
制御部４０１は、ＲＦＩＤハンディ端末４０の全体の動作を制御し、ＲＦＩＤハンディ端末４０が有する各種の機能を実現するコンピュータである。制御部４０１は、ＣＰＵと、ＲＯＭと、ＲＡＭとを備える。ＣＰＵは、ＲＦＩＤハンディ端末４０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部４０２等に格納されたプログラムを実行する。
【００３１】
記憶部４０２は、フラッシュメモリ等の記憶装置である。記憶部４０２は、制御プログラム４０７と、タグ情報テーブル４０８と、抽出条件設定４０９とを記憶する。制御プログラム４０７は、オペレーティングシステムや、ＲＦＩＤハンディ端末４０が提供する機能を実現させるプログラムである。制御プログラム４０７には、本実施形態に係る機能を実現させるプログラムが含まれる。
【００３２】
タグ情報テーブル４０８は、ＲＦＩＤハンディ端末４０が読み取ったタグ情報２２６のうち所定の条件を満たしたタグ情報２２６を記憶した情報テーブルである。
【００３３】
抽出条件設定４０９は、ＲＦＩＤハンディ端末４０が読み取ったタグ情報２２６を抽出する条件を指定した設定である。すなわち、抽出条件設定４０９は、タグ情報テーブル４０８に記憶させるタグ情報２２６の条件を指定した設定である。抽出条件設定４０９には、タグ情報２２６に含まれる販売情報の状態について指定することができる。すなわち、抽出条件設定４０９には、販売フラグと、取り置きフラグとの状態について指定することができる。販売フラグに対しては、未販売と、販売済みと、指定なしとの何れかの状態を指定可能である。取り置きフラグに対しては、販売中と、取り置き中と、指定なしとの何れかの状態を指定可能である。ここで、指定なしとは、フラグが何れの状態を示していても抽出する設定である。
【００３４】
通信インタフェース４０３は、店舗サーバ５０と通信するためのインタフェースである。
【００３５】
操作パネル４０４は、表示面上にタッチパネルが積層された液晶表示装置等である。また、操作パネル４０４は、各種操作を入力するハードウェアキーや、スイッチ等を備えていてもよい。
【００３６】
ＲＦＩＤリーダ４０５は、アンテナ４１０を制御して、無線タグ２０に記憶されたタグ情報２２６を読み出す。アンテナ４１０は、電気信号を電磁波に変換して送信したり、受信した電磁波を電気信号に変換したりする装置である。例えば、ＲＦＩＤリーダ４０５は、無線タグ２０に記憶されたタグ情報２２６を読み出す場合に、無線タグ２０にタグ情報２２６の送信を要求する情報を含む電磁波をアンテナ４１０に照射させる。そして、ＲＦＩＤリーダ４０５は、アンテナ４１０が受信した電磁波を復調してタグ情報２２６を抽出する。
【００３７】
図５は、店舗サーバ５０のハードウェア構成の一例を示すブロック図である。店舗サーバ５０は、制御部５０１と、記憶部５０２と、通信インタフェース５０３と、表示部５０４と、操作部５０５とを備える。これら各部は、データバスやアドレスバス等のシステムバス５０６を介して相互に接続している。
【００３８】
制御部５０１は、店舗サーバ５０の全体の動作を制御し、店舗サーバ５０が有する各種の機能を実現するコンピュータである。制御部５０１は、ＣＰＵと、ＲＯＭと、ＲＡＭとを備える。ＣＰＵは、店舗サーバ５０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部５０２等に格納されたプログラムを実行する。
【００３９】
記憶部５０２は、ＨＤＤやＳＳＤ等の記憶装置である。記憶部５０２は、制御プログラム５０７と、集約タグ情報テーブル５０８とを記憶する。制御プログラム５０７は、オペレーティングシステムや、店舗サーバ５０が提供する機能を実現させるプログラムである。制御プログラム５０７には、本実施形態に係る機能を実現させるプログラムが含まれる。
【００４０】
集約タグ情報テーブル５０８は、一又は複数のＲＦＩＤハンディ端末４０から送信されたタグ情報２２６を記憶した情報テーブルである。
【００４１】
通信インタフェース５０３は、ＲＦＩＤハンディ端末４０と通信するためのインタフェースである。
【００４２】
表示部５０４は、例えば、液晶表示装置である。操作部５０５は、キーボードや、マウス等の入力装置である。
【００４３】
次に、在庫管理システム１が備える各装置の特徴的な機能について説明する。ここで、図６は、在庫管理システム１が備える各装置が有する特徴的な機能構成の一例を示すブロック図である。
【００４４】
ＰＯＳ端末３０の制御部３０１は、記憶部３０２に記憶された制御プログラム３１０をＲＡＭに展開し、制御プログラム３１０に従って動作することで、各機能部を生成する。具体的には、ＰＯＳ端末３０の制御部３０１は、機能部として、操作制御部３００１と、表示制御部３００２と、リードライト実行部３００３と、販売登録部３００４と、会計処理部３００５とを備える。
【００４５】
操作制御部３００１は、表示部３０５のタッチパネル及び操作部３０６を制御して、各種操作を受け付ける。例えば、操作制御部３００１は、商品１０の販売登録に関する操作や、会計処理に関する操作を受け付ける。
【００４６】
表示制御部３００２は、表示部３０５を制御して、各種画面を表示させる。例えば、表示制御部３００２は、商品１０の販売登録に関する画面や、会計処理に関する画面を受け付ける。
【００４７】
リードライト実行部３００３は、ＲＦＩＤリーダライタ３０４を制御して、商品１０に付されている無線タグ２０からタグ情報２２６を読み出す。また、リードライト実行部３００３は、ＲＦＩＤリーダライタ３０４を制御して、商品１０に付されている無線タグ２０が記憶しているタグ情報２２６を書き換える。
【００４８】
販売登録部３００４は、リードライト実行部３００３と協働することで、顧客に販売する商品１０を登録する販売登録や、取り置き対象の商品１０として登録する取り置き登録を制御する。例えば、販売登録部３００４は、リードライト実行部３００３が無線タグ２０からタグ情報２２６を読み取った場合に、タグ情報２２６に含まれる商品コードの商品１０を販売登録する。さらに、販売登録部３００４は、商品１０を販売登録した場合に、販売登録した商品１０に付されている無線タグ２０のタグ情報２２６に含まれる販売フラグを販売済みに書き換えさせる。
【００４９】
販売登録部３００４は、操作制御部３００１が取り置き登録を開始する操作を受け付けた場合に、取り置きモードに設定する。販売登録部３００４は、取り置きモードにおいて、ＲＦＩＤリーダライタ３０４が無線タグ２０からタグ情報２２６を読み取った場合に、タグ情報２２６に含まれる商品コードの商品１０を取り置き登録する。そして、販売登録部３００４は、取り置き登録を終了する操作を受け付けた場合に、取り置きモードを解除する。さらに、販売登録部３００４は、商品１０を取り置き登録した場合に、取り置き登録した商品１０に付されている無線タグ２０のタグ情報２２６に含まれる取り置きフラグを取り置き中に書き換えさせる。
【００５０】
会計処理部３００５は、販売登録部３００４が登録した商品１０の代価を受領する会計処理を制御する。例えば、会計処理部３００５は、顧客から受領した金額から合計金額を減算してお釣りを算出する。
【００５１】
ＲＦＩＤハンディ端末４０の制御部４０１は、記憶部４０２に記憶された制御プログラム４０７をＲＡＭに展開し、制御プログラム４０７に従って動作することで、各機能部を生成する。具体的には、ＲＦＩＤハンディ端末４０の制御部４０１は、機能部として、通信制御部４００１と、操作制御部４００２と、リード実行部４００３と、抽出制御部４００４と、設定変更部４００５と、記憶制御部４００６と、情報転送部４００７と、表示制御部４００８とを備える。
【００５２】
通信制御部４００１は、通信インタフェース４０３を制御して、店舗サーバ５０と通信する。
【００５３】
操作制御部４００２は、操作パネル４０４を制御して、各種操作を受け付ける。
【００５４】
リード実行部４００３は、受信手段の一例である。リード実行部４００３は、ＲＦＩＤリーダ４０５を制御して、商品１０に付されている無線タグ２０からタグ情報２２６を読み出す。
【００５５】
抽出制御部４００４は、抽出手段の一例である。抽出制御部４００４は、リード実行部４００３が読み取った一又は複数のタグ情報２２６のうち、抽出条件設定４０９に設定された抽出条件を満たしているタグ情報２２６を抽出する。例えば、抽出制御部４００４は、抽出条件設定４０９に販売フラグが未販売、且つ取り置きフラグが指定なしと設定されている場合に、取り置きフラグの状態に関わらず販売フラグが未販売のタグ情報２２６を抽出する。また、抽出制御部４００４は、抽出条件設定４０９に販売フラグが未販売、且つ取り置きフラグが販売中と設定されている場合に、販売フラグが未販売且つ取り置きフラグが販売中のタグ情報２２６を抽出する。
【００５６】
設定変更部４００５は、変更手段の一例である。設定変更部４００５は、抽出制御部４００４がタグ情報２２６を抽出する抽出条件を設定した抽出条件設定４０９を変更する。例えば、設定変更部４００５は、操作制御部４００２が抽出条件設定４０９を変更する操作を受け付けた場合に、操作制御部４００２が受け付けた設定に抽出条件設定４０９を変更する。
【００５７】
記憶制御部４００６は、出力手段の一例である。記憶制御部４００６は、抽出制御部４００４が抽出したタグ情報２２６をタグ情報テーブル４０８に記憶させる。すなわち、記憶制御部４００６は、抽出制御部４００４が抽出したタグ情報２２６をタグ情報テーブル４０８に出力する。これにより、タグ情報テーブル４０８は、タグ情報２２６を記憶する。例えば、記憶制御部４００６は、抽出条件設定４０９に販売フラグが未販売、且つ取り置きフラグが指定なしと設定された状態でタグ情報２２６が抽出された場合に、抽出したタグ情報２２６を未販売の商品１０のタグ情報２２６としてタグ情報テーブル４０８に記憶させる。
【００５８】
情報転送部４００７は、通信制御部４００１と協働することで、タグ情報２２６を店舗サーバ５０に送信する。例えば、情報転送部４００７は、操作制御部４００２がタグ情報テーブル４０８に記憶されているタグ情報２２６を送信する操作を受け付けた場合に、通信制御部４００１にタグ情報２２６を送信させる。
【００５９】
表示制御部４００８は、出力手段の一例である。表示制御部４００８は、操作パネル４０４を制御して、各種画面を表示させる。例えば、表示制御部４００８は、タグ情報テーブル４０８に記憶された一又は複数のタグ情報２２６の一覧を有する在庫商品画面を表示させる。すなわち、表示制御部４００８は、在庫商品画面を操作パネル４０４に表示出力させる。例えば、表示制御部４００８は、抽出条件設定４０９に販売フラグが未販売、且つ取り置きフラグが指定なしと設定された状態でタグ情報２２６が抽出された場合には、未販売の商品１０のタグ情報２２６の一覧を有する在庫商品画面を表示させる。
【００６０】
店舗サーバ５０の制御部５０１は、記憶部５０２に記憶された制御プログラム５０７をＲＡＭに展開し、制御プログラム５０７に従って動作することで、各機能部を生成する。具体的には、店舗サーバ５０の制御部５０１は、機能部として、通信制御部５００１と、記憶制御部５００２とを備える。
【００６１】
通信制御部５００１は、通信インタフェース５０３を制御して、ＲＦＩＤハンディ端末４０と通信する。
【００６２】
記憶制御部５００２は、通信制御部５００１がタグ情報２２６をＲＦＩＤハンディ端末４０から受信した場合に、集約タグ情報テーブル５０８に受信したタグ情報２２６を記憶させる。すなわち、記憶制御部５００２は、一又は複数のＲＦＩＤハンディ端末４０から受信したタグ情報２２６を集約タグ情報テーブル５０８に記憶させる。
【００６３】
次に、ＲＦＩＤハンディ端末４０が実行する在庫計数処理について説明する。在庫計数処理とは、未だ販売されていない商品１０を集計する処理である。図７は、本実施形態のＲＦＩＤハンディ端末４０が実行する在庫計数処理の一例を示すフローチャートである。
【００６４】
操作制御部４００２は、商品１０に付された無線タグ２０の読み取りを開始する操作を受け付けたか否かを判定する（ステップＳ１）。
【００６５】
読み取り開始操作を受け付けたことを条件に（ステップＳ１；Ｙｅｓ）、リード実行部４００３は、無線タグ２０が記憶しているタグ情報２２６を読み取る（ステップＳ２）。
【００６６】
抽出制御部４００４は、リード実行部４００３が読み取ったタグ情報２２６のうち、抽出条件設定４０９に設定された抽出条件を満たすタグ情報２２６を抽出する（ステップＳ３）。
【００６７】
記憶制御部４００６は、抽出制御部４００４が抽出したタグ情報２２６をタグ情報テーブル４０８に記憶させる（ステップＳ４）。
【００６８】
表示制御部４００８は、タグ情報テーブル４０８に記憶されているタグ情報２２６を表示した在庫商品画面を操作パネル４０４に表示させる（ステップＳ５）。そして、ＲＦＩＤハンディ端末４０は、ステップＳ１に戻る。
【００６９】
一方、ステップＳ１において読み取り開始操作を受け付けていないことを条件に（ステップＳ１；Ｎｏ）、操作制御部４００２は、タグ情報テーブル４０８に記憶されているタグ情報２２６を店舗サーバ５０に送信する操作を受け付けたか否かを判定する（ステップＳ６）。ＲＦＩＤハンディ端末４０は、送信操作を受け付けていないことを条件に（ステップＳ６；Ｎｏ）、ステップＳ１に戻る。
【００７０】
情報転送部４００７は、送信操作を受け付けたことを条件に（ステップＳ６；Ｙｅｓ）、タグ情報テーブル４０８に記憶されているタグ情報２２６を店舗サーバ５０に送信する（ステップＳ７）。
【００７１】
以上により、ＲＦＩＤハンディ端末４０は、在庫計数処理を終了する。
【００７２】
以上のように、本実施形態に係る在庫管理システム１によれば、ＲＦＩＤハンディ端末４０は、無線タグ２０から読み取った一又は複数のタグ情報２２６のうち、抽出条件設定４０９に設定されている抽出条件を満たしているタグ情報２２６を抽出する。そして、ＲＦＩＤハンディ端末４０は、抽出したタグ情報２２６をタグ情報テーブル４０８に記憶させる。従って、本実施形態に係るＲＦＩＤハンディ端末４０は、意図しないタグ情報２２６の集計を防止することができる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７４】
また、上記実施形態では、記憶制御部４００６は、抽出制御部４００４が抽出したタグ情報２２６をタグ情報テーブル４０８に記憶させると説明した。しかし、記憶制御部４００６は、リード実行部４００３が読み取った全てのタグ情報２２６をタグ情報テーブル４０８に記憶させてもよい。この場合には、表示制御部４００８は、抽出条件設定４０９に設定された抽出条件を満たしているタグ情報２２６を表示させることで、不要なタグ情報２２６の表示を防止することができる。また、情報転送部４００７は、抽出条件設定４０９に設定された抽出条件を満たしているタグ情報２２６を店舗サーバ５０に送信することで、不要なタグ情報２２６の送信を防止することができる。
【００７５】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７６】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００７７】
１  在庫管理システム
１０  商品
２０  無線タグ
３０  ＰＯＳ端末
４０  ＲＦＩＤハンディ端末
５０  店舗サーバ
２２６  タグ情報
４０８  タグ情報テーブル
５０８  集約タグ情報テーブル
３００１  操作制御部
３００２  表示制御部
３００３  リードライト実行部
３００４  販売登録部
３００５  会計処理部
４００１  通信制御部
４００２  操作制御部
４００３  リード実行部
４００４  抽出制御部
４００５  設定変更部
４００６  記憶制御部
４００７  情報転送部
４００８  表示制御部
５００１  通信制御部
５００２  記憶制御部
【先行技術文献】
【特許文献】
【００７８】
【特許文献１】特開２０１０−１４０４６３号公報
【図１】
2018160185.tif 000003
【図２】
2018160185.tif 000004
【図３】
2018160185.tif 000005
【図４】
2018160185.tif 000006
【図５】
2018160185.tif 000007
【図６】
2018160185.tif 000008
【図７】
2018160185.tif 000009